(57)【要約】【課題】  尻栓の後端部をゴム部材で構成してこの尻ゴム部を回転可能に装着すると共に、この装着が不用意に外れないようにした尻栓付きの釣竿を提供する。【解決手段】  元竿１０後端部に着脱自在に装着される尻栓２０は、元竿のねじ部と螺合する本体部２２と、該本体部の後側に装着されると共に、該本体部に対してその中心軸線回りに回動自在に係合している回転部材２４とを具備し、該回転部材はゴム部材で形成され、本体部と回転部材の夫々に設けられたフランジ部２２Ｆ，２４Ｆ同士が係合し合う第１の係合部と、該第１の係合部よりも中心寄りの位置には、その先部に、中心部に貫通孔２４Ｈを有する第２の係合部の一方としての拡径部２４Ｋを具備した軸部２４Ｊを有し、前記本体部の中心部には他の貫通孔２２Ｈがあって前記拡径部を変形させつつ軸部を挿入できると共に、組み込み後の前記拡径部が拡径係合する第２の係合部の他方としての段差部２２Ｄを有するよう構成する。【選択図】        図２
2006180800.tif 000002
【特許請求の範囲】
【請求項１】
元竿後端部に着脱自在に装着される尻栓は、元竿のねじ部と螺合する本体部と、該本体部の後側に装着されると共に、該本体部に対してその中心軸線回りに回動自在に係合している回転部材とを具備し、該回転部材はゴム部材で形成されており、本体部と回転部材の夫々に設けられたフランジ部同士が前記中心軸線方向に係合し合う第１の係合部と、該第１の係合部よりも中心寄りの位置には、その先部に、中心部に貫通孔を有するか割りスリットを有する第２の係合部の一方としての拡径部を具備した軸部を有し、前記本体部の中心部には他の貫通孔があって前記拡径部を変形させつつ軸部を挿入できると共に、組み込み後の前記拡径部が拡径係合する第２の係合部の他方としての段差部を有していることを特徴とする尻栓を有する釣竿。
【請求項２】
元竿後端部に着脱自在に装着される尻栓は、元竿のねじ部と螺合する本体部と、該本体部の後側に装着されると共に、該本体部に対してその中心軸線回りに回動自在に係合している回転部材とを具備し、該回転部材はゴム部材で形成された尻ゴム部を有し、該尻ゴム部と本体部の夫々に設けられたフランジ部同士が前記中心軸線方向に係合し合う第１の係合部を有し、尻ゴム部はフランジ部よりも中心寄りの位置に貫通孔を設けた軸部を有しており、前記本体部の中心部には他の貫通孔があって前記軸部を挿入できると共に、第２の係合部の他方としての段差部を有しており、該段差部に係合して前記他の貫通孔を通過できない第２の係合部の一方としての頭部を有すると共に、該頭部と一体化されて前記軸部の貫通孔に圧入できるか接着固定できる外径の芯部材を有し、該頭部付きの芯部材は尻ゴム部よりも硬質な部材で形成されていることを特徴とする尻栓を有する釣竿。
【請求項３】
元竿後端部に着脱自在に装着される尻栓は、元竿のねじ部と螺合する本体部と、該本体部の後側に装着されると共に、該本体部に対してその中心軸線回りに回動自在に係合している回転部材とを具備し、該回転部材はゴム部材で形成された尻ゴム部を有し、該尻ゴム部と本体部の夫々に設けられたフランジ部同士が前記中心軸線方向に係合し合う第１の係合部を有し、尻ゴム部はフランジ部よりも中心寄りの位置に貫通孔を設けた軸部を有しており、前記本体部の中心部には他の貫通孔があって前記軸部を挿入できると共に、第２の係合部の他方としての段差部を有しており、割りスリットを有して径方向に弾性変形しつつ前記他の貫通孔を通過できて前記段差部に係合する第２の係合部の一方としての頭部を有すると共に、該頭部と一体化されており、前記軸部の貫通孔に圧入できるか接着固定できる外径の芯部材を有し、該頭部付きの芯部材は尻ゴム部よりも硬質な部材で形成されていることを特徴とする尻栓を有する釣竿。
【発明の詳細な説明】
【技術分野】
【０００１】
本発明は、尻栓に特徴を有する釣竿に関する。
【背景技術】
【０００２】
磯竿等で釣りを行う場合に、掛かった魚の迷走に合わせて釣竿操作を行うが、通常、獲物は大物故、竿尻を釣人の腹部に押し付けて操作する。その操作において釣竿を回転させることがあるが、衣服を一緒に捩らないように尻栓部を回転可能に構成することがある。本出願人による下記特許文献１は、そうした例であり、竿尻リングに対して回転可能な硬質リング状部材付きの竿尻ゴムが設けられている。
【特許文献１】特開２００４−２５４６２３号公報
【発明の開示】
【発明が解決しようとする課題】
【０００３】
然しながら、上記硬質リング状部材を竿尻ゴムに一体化させるには接着によることが簡便であるが、接着面が竿尻ゴムの離反方向に対して直交していること等もあって、この一体化の耐久性に乏しく、尻栓ゴムが外れてしまう虞がある。
従って解決しようとする課題は、腹部に押し当てる尻栓の後端部をゴム部材で構成してこの尻ゴム部を回転可能に装着すると共に、この装着が不用意に外れないようにした尻栓付きの釣竿を提供する。
【課題を解決するための手段】
【０００４】
請求項１に係る発明では、元竿後端部に着脱自在に装着される尻栓は、元竿のねじ部と螺合する本体部と、該本体部の後側に装着されると共に、該本体部に対してその中心軸線回りに回動自在に係合している回転部材とを具備し、該回転部材はゴム部材で形成されており、本体部と回転部材の夫々に設けられたフランジ部同士が前記中心軸線方向に係合し合う第１の係合部と、該第１の係合部よりも中心寄りの位置には、その先部に、中心部に貫通孔を有するか割りスリットを有する第２の係合部の一方としての拡径部を具備した軸部を有し、前記本体部の中心部には他の貫通孔があって前記拡径部を変形させつつ軸部を挿入できると共に、組み込み後の前記拡径部が拡径係合する第２の係合部の他方としての段差部を有していることを特徴とする尻栓を有する釣竿を提供する。
【０００５】
請求項２では、元竿後端部に着脱自在に装着される尻栓は、元竿のねじ部と螺合する本体部と、該本体部の後側に装着されると共に、該本体部に対してその中心軸線回りに回動自在に係合している回転部材とを具備し、該回転部材はゴム部材で形成された尻ゴム部を有し、該尻ゴム部と本体部の夫々に設けられたフランジ部同士が前記中心軸線方向に係合し合う第１の係合部を有し、尻ゴム部はフランジ部よりも中心寄りの位置に貫通孔を設けた軸部を有しており、前記本体部の中心部には他の貫通孔があって前記軸部を挿入できると共に、第２の係合部の他方としての段差部を有しており、該段差部に係合して前記他の貫通孔を通過できない第２の係合部の一方としての頭部を有すると共に、該頭部と一体化されて前記軸部の貫通孔に圧入できるか接着固定できる外径の芯部材を有し、該頭部付きの芯部材は尻ゴム部よりも硬質な部材で形成されていることを特徴とする尻栓を有する釣竿を提供する。
【０００６】
請求項３では、元竿後端部に着脱自在に装着される尻栓は、元竿のねじ部と螺合する本体部と、該本体部の後側に装着されると共に、該本体部に対してその中心軸線回りに回動自在に係合している回転部材とを具備し、該回転部材はゴム部材で形成された尻ゴム部を有し、該尻ゴム部と本体部の夫々に設けられたフランジ部同士が前記中心軸線方向に係合し合う第１の係合部を有し、尻ゴム部はフランジ部よりも中心寄りの位置に貫通孔を設けた軸部を有しており、前記本体部の中心部には他の貫通孔があって前記軸部を挿入できると共に、第２の係合部の他方としての段差部を有しており、割りスリットを有して径方向に弾性変形しつつ前記他の貫通孔を通過できて前記段差部に係合する第２の係合部の一方としての頭部を有すると共に、該頭部と一体化されており、前記軸部の貫通孔に圧入できるか接着固定できる外径の芯部材を有し、該頭部付きの芯部材は尻ゴム部よりも硬質な部材で形成されていることを特徴とする尻栓を有する釣竿を提供する。
【発明の効果】
【０００７】
本発明の請求項１では、本体部と回転部材とは別部材の係合に過ぎず、回転部材は本体部材に対して相対回転可能である。また、拡径部は本体部の他の貫通孔に挿入できるため、回転部材の本体部への組み込みも可能である。本体部と回転部材の夫々に設けられたフランジ部同士が中心軸線方向に係合し合う第１の係合部の他に、第２の係合部を有して、第２の係合部材の一方である拡径部は、本体部の他の貫通孔の孔壁に形成された第２の係合部の他方としての段差部に係合するため、第１の係合部が外れようとする力が回転部材に作用した場合、回転部材は径方向に移動させられようとするが、第２の係合部の一方である拡径部が他方である段差部に干渉して、第１の係合部の外れを防止できる。
【０００８】
請求項２では、まず、本体部の他の貫通孔に尻ゴム部の軸部を挿入しつつ尻ゴム部を組み込み、その後、頭部付きの芯部材を、本体部を基準に尻ゴム部とは反対側（前方側）から尻ゴム部の軸部の貫通孔に圧入又は接着固定しつつ挿入すると芯部材の頭部が本体部の段差部に係合する。こうして、回転部材は尻ゴム部の軸部に芯部材を装着した状態で、本体部に対して相対回転可能となる。また、回転部材の外れ難さは、請求項１の場合と同様に説明でき、第１の係合部が外れようとする力が回転部材に作用した場合、回転部材は径方向に移動させられようとするが、第２の係合部の一方である頭部が他方である段差部に干渉して、第１の係合部の外れを防止できる。更には、頭部付きの芯部材はゴム部材よりも硬質な部材で形成されているため、芯部材の頭部が段差部に干渉した際に、頭部は変形し難く、請求項１のゴム部材の拡径部よりも変形し難く、その分、回転部材が外れ難い。
【０００９】
請求項３では、芯部材の頭部が、請求項２の芯部材の頭部と異なり、割りスリットを有して径方向に弾性変形できるため、頭部を残して芯部材を尻ゴム部の軸部の貫通孔に圧入か挿入接着固定しておき、この状態の回転部材を本体部に対して後端側から組み込める。組み込むと、請求項１や２の場合と同様に、回転部材は本体部材に対して相対回転可能となる。また、回転部材の外れ難さは、請求項１の場合と同様に説明でき、第１の係合部が外れようとする力が回転部材に作用した場合、回転部材は径方向に移動させられようとするが、第２の係合部の一方である頭部が他方である段差部に干渉して、第１の係合部の外れを防止できる。
【発明を実施するための最良の形態】
【００１０】
以下、本発明を図面を用いて詳細に説明する。図１は本発明に係る磯竿の側面図である。エポキシ樹脂等の合成樹脂をマトリックスとし、炭素繊維等の強化繊維で強化した繊維強化樹脂製竿杆を複数本振出式に継ぎ合わせている。その元竿１０には、所定位置にリール装着部１２を設けており、これにスピニングリール１４を装着している。この元竿の後端部に、尻栓２０が着脱可能に装着されている。
【００１１】
図２は図１の元竿後端部近くの拡大断面図であり、図３は請求項１に対応する尻栓２０の分解部分断面図である。この例の尻栓２０は、本体部２２と回転部材２４との２つの部品を主体に構成されている。本体部はＡＢＳ、ナイロン等の合成樹脂材で形成されており、一方、回転部材２４はゴム部材で形成されている。このゴム部材は、ＪＩＳ  Ｋ６２５３  デュロメータ硬さ試験  タイプＥによる硬度で言って７０〜９０度であり、好ましくは７５〜８５度である。押し当てた際の感触の良さに重点を置けば、柔らかい方が良く、また、外れ難さに重点を置けば、硬いほうが良い。このため、両視点から中間的硬度を採用すると上記の如くなる。
【００１２】
概ね筒状の本体部２２は、筒体の前側外周面に雄ねじ２２Ｎを形成しており、元竿後端部内面に形成している雌ねじ部に螺着できる。本体部の後端部には外側に広がるフランジ部２２Ｆが形成されており、また、フランジ部よりも中心寄りの中央部には他の貫通孔２２Ｈが設けられており、その貫通孔を形成する周壁の中間部から前部を段差状に拡径して段差部２２Ｄを設けている。外周の凹凸面２２Ｔは摘まみ用の滑り止め部である。
【００１３】
一方、回転部材２４は、前記フランジ部２２Ｆに対応する位置に、内側に延びるフランジ部２４Ｆが形成されており、互いに係合でき、第１の係合部として中心軸線方向に引っ掛って回転部材の外れを防止する。また、フランジ部２４Ｆよりも中心寄りの位置に、中心軸線方向に延伸した軸部２４Ｊが突設され、その先端部には径方向に拡径した拡径部２４Ｋが形成されている。この拡径部２４Ｋを有する軸部２４Ｊには貫通孔２４Ｈが形成されている。従って、拡径部が弾性的に縮径変形しつつ前記貫通孔２２Ｈを挿通でき、段差部２２Ｄの位置で元の外径に戻って第２の係合部として段差部に係合する。
【００１４】
なお、挿入を容易にするために、拡径部の先端角部は面取り２４Ｃが形成されている。この面取りは曲面でもよい。また、円板部材３０は、中竿等を収納した際の衝撃を吸収するためのゴム部材等の干渉体である。孔３０Ｈは水抜き孔であり、貫通孔２４Ｈと連通しており、外部に排水できる。更には、尻栓２０は、Ｏリング３２を挟んで元竿後端部に装着し、緩み止めとしている。
【００１５】
この係合状態で、回転部材は本体部に対して回転自在であり、また、第２の係合部の存在によって、第１の係合部のフランジ部２４Ｆを外そうとする力が作用した場合、軸部２４Ｊが径方向一側に動かされ、その結果、拡径部２４Ｋが段差部２２Ｄに益々強く係合することになり、結局、回転部材の不用意な外れが防止できる。
【００１６】
図４は請求項２に対応して、尻栓の第２の形態例を示した部分縦断面図と、部品図とである。第１の形態例の場合と異なる事項を説明する。本体部は同じである。また、回転部材はその主要部を成す尻ゴム部２４’と芯部材２６とを有している。この尻ゴム部が第１形態例の回転部材２４と異なるのは、軸部２４Ｊ’の先部に拡径部が無く、それに対応して貫通孔２４Ｈ’が短いことである。この尻ゴム部を本体部に装着した後、円板部材３０を装着する前に、尻栓の前側（図４（ａ）の左側）から貫通孔２４Ｈ’に、合成樹脂や金属で形成され、貫通孔２６Ｈを有する芯部材２６の小径軸部２６Ｊを圧入するか、挿入接着固定し、その頭部２６Ｔが段差部２２Ｄと係合する。接着剤は、シアノン等の瞬間接着剤か、エポキシ系やウレタン系やゴム系の接着剤等を使用する。以下同じである。
【００１７】
こうして尻ゴム部２４’に芯部材２６の装着された回転部材が本体部２２に対して相対回転可能になり、また、第１の形態例の場合と同様な理由で回転部材が外れ難くなる。しかも、芯部材２６がゴム部材よりも硬質な金属や合成樹脂製であるため、頭部２６Ｔが変形し難く、その分、段差部に対する係合保持が確実となる。
【００１８】
図５は請求項３に対応して、尻栓の第３の形態例を示した部分縦断面図と、部品図とである。第２の形態例の場合と異なる事項を説明する。本体部は同じである。尻ゴム部も同じである。この場合の芯部材２６’は、第２形態例の芯部材２６と異なり、その頭部２６Ｔ’に割りスリットＳを設けており、径方向に弾性的に縮径可能である。また、貫通孔２６Ｈはその頭部領域においては広い孔２６Ｈ’に形成されている。
【００１９】
組み付けは、芯部材２６’の小径軸部２６Ｊを、尻ゴム部２４’の貫通孔２４Ｈ’に圧入するか挿入接着固定して、予め回転部材を形成するか、又は、第２形態例の場合のようにすることもできる。ここでは予め回転部材を形成しておく。この後は、第１の形態例の場合と同様に、本体部の他の貫通孔２２Ｈに、頭部２６Ｔ’を圧入するようにして挿入でき、挿入し切ると、頭部２６Ｔ’が段差部２２Ｄに係合する。この場合、回転部材が不用意に外れないことの説明は、第１の形態例の場合と同様である。更には、本体部に対して回転部材を組み付けた後、尻栓の前側から、円板部材３０を設ける前に、金属や合成樹脂製の円筒部材２８を、前記孔２６Ｈ’に圧入するか、挿入接着固定するか、或いは軽く挿入すれば、割りスリットＳの存在による頭部の弾性変形を押さえることができ、第２の形態例の場合のように、段差部における係合がより外れ難くなる。このことは、第１の形態例の拡径部２４Ｋの内周に挿入しても同様の効果がある。
【産業上の利用可能性】
【００２０】
本発明は、磯竿等の様に、釣竿後端を腹部にあてがって釣り操作する釣竿に利用できる。
【図面の簡単な説明】
【００２１】
【図１】図１は本発明に係る磯竿の側面図である。
【図２】図２は図１の要部拡大部分縦断面図である。
【図３】図３は尻栓の分解部分断面図である。
【図４】図４は本発明に係る釣竿に使用の第２形態例の尻栓の図である。
【図５】図５は本発明に係る釣竿に使用の第３形態例の尻栓の図である。
【符号の説明】
【００２２】
１０                          元竿
２０                          尻栓
２２                          本体部
２２Ｆ                        フランジ部
２２Ｈ                        他の貫通孔
２４                          回転部材
２４Ｆ                        フランジ部
２４Ｈ，２４Ｈ’              貫通孔
２４Ｊ，２４Ｊ’              軸部
２４Ｋ                        拡径部
２４’                        尻ゴム部
２６，２６’                  芯部材
２６Ｔ，２６Ｔ’              頭部
Ｓ                            割りスリット
【図１】
2006180800.tif 000003
【図２】
2006180800.tif 000004
【図３】
2006180800.tif 000005
【図４】
2006180800.tif 000006
【図５】
2006180800.tif 000007